(57)【要約】【課題】挿通体を除去工具から取り除くことなく、次の挿通体をインサートから除去することができる、コンクリートスラブ用のインサート装置を提供する。【解決手段】インサート装置５は、デッキプレート２０１に固定されるインサート３と、除去工具４とからなる。インサート３は、インサート本体６と挿通体７とを備える。インサート本体６は、螺着部６ａを有しデッキプレート２０１上でコンクリートスラブ１に埋設される。挿通体７は、インサート本体６に対し回動により分離可能に設けられてデッキプレート２０１の下方に突出する。除去工具４は、挿通体７を受け入れる受け入れ部４ａを備える。この受け入れ部４ａは、挿通体７に係合する係合部４ｂを有して、この受け入れ部４ａの回動につられて挿通体７が回動する。除去工具４は、受け入れ部４ａの下方に、インサート本体６から分離した挿通体７が受け入れ部４ａから落下して収容される収容部４ｄを備える。【選択図】  図４
2019031813.tif 000002
【特許請求の範囲】
【請求項１】
デッキプレートに固定されるインサートと、除去工具とからなり、
前記インサートは、前記デッキプレートの貫通孔を通って下方に延びるボルト部材が螺着可能な螺着部を有し前記デッキプレートに載ってそのデッキプレート上でコンクリートスラブに埋設されるインサート本体と、そのインサート本体に対し前記螺着部の軸心回りの回動により分離可能に一体もしくは別体に設けられて前記貫通孔を通って前記デッキプレートの下方に突出する挿通体とを備え、
前記除去工具は、前記インサートから前記挿通体を除去するためのものであって、前記挿通体を受け入れる受け入れ部を備え、その受け入れ部は、その内面に、その受け入れ部の回動につられて前記挿通体が前記螺着部の軸心回りに回動するよう、前記挿通体に係合する係合部を有し、また、
前記除去工具は、前記受け入れ部の下方に設けられて前記インサート本体から分離した前記挿通体が前記受け入れ部から落下して収容される収容部を備える、コンクリートスラブ用のインサート装置。
【請求項２】
前記除去工具は、前記収容部となる中空筒状の延長棒部材と、前記受け入れ部を有し前記延長棒部材の一端側に設けられる除去工具本体とを備え、
前記延長棒部材がその軸心回りに回動することで、前記受け入れ部が回動するとともにその受け入れ部内の前記挿通体が前記螺着部の軸心回りに回動する、請求項１に記載のコンクリートスラブ用のインサート装置。
【請求項３】
前記受け入れ部は、その内面であって前記係合部の上方に、その係合部側に前記挿通体を案内できるように、前記係合部側から上方に向かって外側に広がる傾斜案内面を有する、請求項２に記載のコンクリートスラブ用のインサート装置。
【請求項４】
前記延長棒部材は、外周面が円柱状に形成され、
前記除去工具は、前記延長棒部材の他端側に取り付けられて電動回転工具の回転軸に固定されたアタッチメントが嵌まる連結部材を備え、前記アタッチメントとともに前記連結部材が回動することで、前記延長棒部材がその軸心回りに回動する、請求項２または３に記載のコンクリートスラブ用のインサート装置。
【請求項５】
前記挿通体は、平面部を有し、前記係合部は、その平面部に係合する、請求項１ないし４のいずれか１項に記載のコンクリートスラブ用のインサート装置。
【請求項６】
前記挿通体は、挿通体本体と、その挿通体本体の側面に突出して設けられる掛止部とを備え、
前記掛止部は、突出量が相対的に小さく前記貫通孔を通過可能となる第１位置と、突出量が相対的に大きく前記貫通孔の周縁に掛け止められる第２位置とに変位可能であって、
前記掛止部が前記第２位置にて前記貫通孔の周縁のデッキプレート下面側に掛け止められることで、前記インサートが前記デッキプレートに固定される、請求項１ないし５のいずれか１項に記載のコンクリートスラブ用のインサート装置。
【請求項７】
前記インサート本体には、前記デッキプレートとの接合手段が設けられ、その接合手段によって、前記インサート本体が前記デッキプレートに接合することで、前記インサートが前記デッキプレートに固定される、請求項１ないし５のいずれか１項に記載のコンクリートスラブ用のインサート装置。
【請求項８】
インサートと、除去工具とからなり、
前記インサートは、下方に延びるボルト部材が螺着可能な螺着部を有し型枠に載ってその型枠上でコンクリートスラブに埋設されるインサート本体と、そのインサート本体に対し前記螺着部の軸心回りの回動により分離可能に一体もしくは別体に設けられて前記型枠へ前記インサート本体を固定するための固定体とを備え、
前記除去工具は、前記インサートから前記固定体を除去するためのものであって、前記固定体を受け入れる受け入れ部を備え、その受け入れ部は、その内面に、その受け入れ部の回動につられて前記固定体が前記螺着部の軸心回りに回動するよう、前記固定体に係合する係合部を有し、また、
前記除去工具は、前記受け入れ部の下方に設けられて前記インサート本体から分離した前記固定体が前記受け入れ部から落下して収容される収容部を備える、コンクリートスラブ用のインサート装置。
【発明の詳細な説明】
【技術分野】
【０００１】
この発明は、螺着部を備えてコンクリートスラブに埋設されるインサートと、そのインサートから挿通体（固定体）を除去するための除去工具とからなる、コンクリートスラブ用のインサート装置に関するものである。
【背景技術】
【０００２】
従来、型枠に固定されてコンクリートスラブに埋設されるインサートとして、例えば、図２３および図２４に示されるものがあった（特許文献１参照）。このインサート１３は、インサート本体１４と釘保持部１５とからなっていた。そこで、この釘保持部１５に通された釘１６を型枠１２に打ち込むことで、インサート１３が型枠１２に固定され、その後に、型枠１２上にコンクリート１１を打設することで、インサート１３は、コンクリート１１（コンクリートスラブ）に埋設された。そして、脱型後の釘保持部１５および釘１６の除去するために、除去工具１７が用いられた。この除去工具１７は、延長棒部材１８の先端に工具本体１９が固定されたものであって、その工具本体１９の先端部分に、係止孔１９ａがあけられていた。そこで、この係止孔１９ａに、釘保持部１５の下端側の突出部１５ａが挿入されるように、除去工具１７をインサート１３に宛がい、除去工具１７を延長棒部材１８の軸回りに回動することで、釘保持部１５を釘１６とともに、インサート本体１４から分離させて、それら釘保持部１５と釘１６とを、インサート１３から除去していた。そして、釘保持部１５および釘１６が除去された後には、インサート本体１４に設けられた螺着部１４ａに吊ボルトがねじ込まれ、その吊ボルトに種々の器具が取り付けられた。
【先行技術文献】
【特許文献】
【０００３】
【特許文献１】特開２００８−７５３９５号公報
【発明の概要】
【発明が解決しようとする課題】
【０００４】
しかし、前記従来のインサート１３と除去工具１７にあっては、除去した釘保持部１５（固定体）は、除去工具１７の先端の係止孔１９ａに嵌まったままであった。このため、次の釘保持部１５を除去するためには、除去工具１７の先端に嵌まっている釘保持部１５を取り除く必要があり、面倒であった。
【０００５】
この発明は、上記した従来の欠点を解決するためになされたものであり、その目的とするところは、挿通体（固定体）を除去工具から取り除くことなく、次の挿通体（固定体）をインサートから除去することができる、コンクリートスラブ用のインサート装置を提供することにある。
【課題を解決するための手段】
【０００６】
この発明に係るコンクリートスラブ用のインサート装置は、前記目的を達成するために、次の構成からなる。すなわち、
請求項１に記載の発明に係るコンクリートスラブ用のインサート装置は、デッキプレートに固定されるインサートと、除去工具とからなる。ここで、前記インサートは、前記デッキプレートの貫通孔を通って下方に延びるボルト部材が螺着可能な螺着部を有し前記デッキプレートに載ってそのデッキプレート上でコンクリートスラブに埋設されるインサート本体と、そのインサート本体に対し前記螺着部の軸心回りの回動により分離可能に一体もしくは別体に設けられて前記貫通孔を通って前記デッキプレートの下方に突出する挿通体とを備える。一方、前記除去工具は、前記インサートから前記挿通体を除去するためのものであって、前記挿通体を受け入れる受け入れ部を備え、その受け入れ部は、その内面に、その受け入れ部の回動につられて前記挿通体が前記螺着部の軸心回りに回動するよう、前記挿通体に係合する係合部を有する。さらに、前記除去工具は、前記受け入れ部の下方に設けられて前記インサート本体から分離した前記挿通体が前記受け入れ部から落下して収容される収容部を備える。
【０００７】
このコンクリートスラブ用のインサート装置によると、インサートは、デッキプレートに固定される。このとき、螺着部を有するインサート本体は、デッキプレートに載り、そのインサート本体とは分離可能に設けられた挿通体は、デッキプレートの貫通孔を通って下方に突出する。そして、インサート本体は、デッキプレート上でコンクリートスラブに埋設される。このインサート本体と挿通体とを備えるインサートから、挿通体を除去するには、除去工具が用いられる。この除去工具は、挿通体を受け入れる受け入れ部を備えており、その受け入れ部に設けられた係合部が挿通体に係合することで、受け入れ部の回動によって挿通体が螺着部の軸心回りに回動する。そして、この挿通体の回動によって、挿通体は、インサート本体から分離する。ここで、除去工具は、受け入れ部の下方に収容部を備えており、インサート本体から分離した挿通体は、受け入れ部から落下して収容部に収容される。このため、挿通体を除去工具から取り除くことなく、次の挿通体をインサートから除去することができる。
【０００８】
また、請求項２に記載の発明に係るコンクリートスラブ用のインサート装置は、請求項１に記載のインサート装置において、前記除去工具は、前記収容部となる中空筒状の延長棒部材と、前記受け入れ部を有し前記延長棒部材の一端側に設けられる除去工具本体とを備える。そこで、前記延長棒部材がその軸心回りに回動することで、前記受け入れ部が回動するとともにその受け入れ部内の前記挿通体が前記螺着部の軸心回りに回動する。
【０００９】
また、請求項３に記載の発明に係るコンクリートスラブ用のインサート装置は、請求項２に記載のインサート装置において、前記受け入れ部は、その内面であって前記係合部の上方に、その係合部側に前記挿通体を案内できるように、前記係合部側から上方に向かって外側に広がる傾斜案内面を有する。
【００１０】
また、請求項４に記載の発明に係るコンクリートスラブ用のインサート装置は、請求項２または３に記載のインサート装置において、前記延長棒部材は、外周面が円柱状に形成される。そして、前記除去工具は、前記延長棒部材の他端側に取り付けられて電動回転工具の回転軸に固定されたアタッチメントが嵌まる連結部材を備え、前記アタッチメントとともに前記連結部材が回動することで、前記延長棒部材がその軸心回りに回動する。
【００１１】
また、請求項５に記載の発明に係るコンクリートスラブ用のインサート装置は、請求項１ないし４のいずれか１項に記載のインサート装置において、前記挿通体は、平面部を有し、前記係合部は、その平面部に係合する。
【００１２】
また、請求項６に記載の発明に係るコンクリートスラブ用のインサート装置は、請求項１ないし５のいずれか１項に記載のインサート装置において、前記挿通体は、挿通体本体と、その挿通体本体の側面に突出して設けられる掛止部とを備える。この掛止部は、突出量が相対的に小さく前記貫通孔を通過可能となる第１位置と、突出量が相対的に大きく前記貫通孔の周縁に掛け止められる第２位置とに変位可能となっている。そこで、前記掛止部が前記第２位置にて前記貫通孔の周縁のデッキプレート下面側に掛け止められることで、前記インサートが前記デッキプレートに固定される。
【００１３】
また、請求項７に記載の発明に係るコンクリートスラブ用のインサート装置は、請求項１ないし５のいずれか１項に記載のインサート装置において、前記インサート本体には、前記デッキプレートとの接合手段が設けられ、その接合手段によって、前記インサート本体が前記デッキプレートに接合することで、前記インサートが前記デッキプレートに固定される。
【００１４】
また、請求項８に記載の発明に係るコンクリートスラブ用のインサート装置は、インサートと、除去工具とからなる。ここで、前記インサートは、下方に延びるボルト部材が螺着可能な螺着部を有し型枠に載ってその型枠上でコンクリートスラブに埋設されるインサート本体と、そのインサート本体に対し前記螺着部の軸心回りの回動により分離可能に一体もしくは別体に設けられて前記型枠へ前記インサート本体を固定するための固定体とを備える。一方、前記除去工具は、前記インサートから前記固定体を除去するためのものであって、前記固定体を受け入れる受け入れ部を備え、その受け入れ部は、その内面に、その受け入れ部の回動につられて前記固定体が前記螺着部の軸心回りに回動するよう、前記固定体に係合する係合部を有する。さらに、前記除去工具は、前記受け入れ部の下方に設けられて前記インサート本体から分離した前記固定体が前記受け入れ部から落下して収容される収容部を備える。
【００１５】
このコンクリートスラブ用のインサート装置によると、螺着部を有するインサート本体は、型枠に載り、そのインサート本体とは分離可能に設けられた固定体によって、型枠に固定される。そして、インサート本体は、型枠上でコンクリートスラブに埋設される。このインサート本体と固定体とを備えるインサートから、固定体を除去するには、除去工具が用いられる。この除去工具は、固定体を受け入れる受け入れ部を備えており、その受け入れ部に設けられた係合部が固定体に係合することで、受け入れ部の回動によって固定体が螺着部の軸心回りに回動する。そして、この固定体の回動によって、固定体は、インサート本体から分離する。ここで、除去工具は、受け入れ部の下方に収容部を備えており、インサート本体から分離した固定体は、受け入れ部から落下して収容部に収容される。このため、固定体を除去工具から取り除くことなく、次の固定体をインサートから除去することができる。
【発明の効果】
【００１６】
この発明に係るコンクリートスラブ用のインサート装置によれば、除去工具において受け入れ部の下方に収容部を設けることで、インサートから除去した挿通体（固定体）を除去工具から取り除くことなく、次の挿通体（固定体）をインサートから除去することができ、挿通体（固定体）の除去作業を効率的に行うことができる。
【図面の簡単な説明】
【００１７】
【図１】この発明の一実施の形態の、インサートの斜視図である。
【図２】同じく、インサートの正面視断面図である。
【図３】同じく、インサートの側面視断面図である。
【図４】同じく、インサートに除去工具を宛がったときの正面視断面図である。
【図５】同じく、インサートに除去工具を宛がったときの側面視断面図である。
【図６】同じく、図４におけるＡ−Ａ線による断面図である。
【図７】同じく、除去工具を用いてインサートから挿通体を除去したときの正面視断面図である。
【図８】同じく、インサート本体にボルト部材を取り付けたときの正面視断面図である。
【図９】同じく、インサート本体の斜視図である。
【図１０】同じく、インサート本体の正面視断面図である。
【図１１】同じく、挿通体の斜視図である。
【図１２】同じく、挿通体の正面図である。
【図１３】同じく、挿通体の平面図である。
【図１４】同じく、除去工具の斜視図である。
【図１５】同じく、除去工具の正面視断面図である。
【図１６】同じく、除去工具の側面視断面図である。
【図１７】同じく、除去工具の平面図である。
【図１８】この発明の第１変形例の、図２相当図である。
【図１９】この発明の第２変形例の、図２相当図である。
【図２０】この発明の第３変形例の、図２相当図である。
【図２１】同じく、図４相当図である。
【図２２】同じく、図２１におけるＢ−Ｂ線による断面図である。
【図２３】従来のインサートと除去工具を示す断面図である。
【図２４】同じく、インサートから釘保持部および釘を除去したときの断面図である。
【発明を実施するための形態】
【００１８】
以下、この発明に係るコンクリートスラブ用のインサート装置を実施するための形態を図面に基づいて説明する。
【００１９】
図１〜図１７は、本発明の一実施の形態を示す。図中符号１は、コンクリートスラブを示す。２は、前記コンクリートスラブ１のための型枠を示し、２０１は、型枠２としてのデッキプレート（つまり、捨て型枠）を示す。３は、前記デッキプレート２０１に固定されるインサートを示す。４は、除去工具を示す。５は、インサート装置を示し、このインサート装置５は、前記インサート３と前記除去工具４とからなる。
【００２０】
ここで、インサート３は、インサート本体６と、挿通体７とを備える（図１〜図３参照）。インサート本体６は、下方に延びる（詳しくは、デッキプレート２０１の貫通孔２ａを通って下方に延びる）吊ボルト等のボルト部材８が螺着可能な螺着部６ａを有し、デッキプレート２０１に載ってそのデッキプレート２０１上でコンクリートスラブ１に埋設されるものである。挿通体７は、インサート本体６に対し前記螺着部６ａの軸心回りの回動により分離可能に一体もしくは別体（図示実施の形態においては、別体）に設けられて前記貫通孔２ａを通ってデッキプレート２０１の下方に突出する。
【００２１】
詳細には、インサート３における挿通体７は、デッキプレート２０１（型枠２）へインサート本体６を固定するための固定体７ｘでもある。図示実施の形態においては、挿通体７（固定体７ｘ）は、挿通体本体７ａ（固定体本体７ｙ）と、その挿通体本体７ａ（固定体本体７ｙ）の側面に突出して設けられる掛止部７ｂとを備えている。この掛止部７ｂは、突出量が相対的に小さくデッキプレート２０１の貫通孔２ａを通過可能となる第１位置と、突出量が相対的に大きく貫通孔２ａの周縁に掛け止められる第２位置（図２参照）とに変位可能であって、掛止部７ｂが第２位置にて貫通孔２ａの周縁のデッキプレート２０１下面側に掛け止められることで、インサート本体６、つまりはインサート３が、デッキプレート２０１に固定される。
【００２２】
一方、除去工具４は、インサート３から挿通体７を除去するためのものであって、挿通体７を受け入れる受け入れ部４ａを備えている。そして、受け入れ部４ａは、その内面に、その受け入れ部４ａの回動につられて挿通体７が前記螺着部６ａの軸心回りに回動するよう、挿通体７に係合する係合部４ｂを有する。また、受け入れ部４ａは、その内面であって係合部４ｂの上方に、その係合部４ｂ側に挿通体７を案内できるように、係合部４ｂ側から上方に向かって外側に広がる傾斜案内面４ｃを有する。
【００２３】
さらに、除去工具４は、受け入れ部４ａの下方に設けられてインサート本体６から分離した挿通体７が受け入れ部４ａから落下して収容される収容部４ｄを備えている。
【００２４】
詳細には、除去工具４は、収容部４ｄとなる中空筒状の延長棒部材４ｘと、前記受け入れ部４ａを有し延長棒部材４ｘの一端側（上端側）に設けられる除去工具本体４ｙとを備える。そこで、延長棒部材４ｘがその軸心回りに回動することで、受け入れ部４ａ（除去工具本体４ｙ）が回動するとともにその受け入れ部４ａ内の挿通体７が螺着部６ａの軸心回りに回動する。
【００２５】
より詳細には、延長棒部材４ｘは、外周面が円柱状に形成されている。そして、除去工具４は、延長棒部材４ｘの他端側（下端側）に取り付けられて電動回転工具の回転軸に固定されたアタッチメント（図示せず）が嵌まる連結部材４ｚを備えている。そこで、前記アタッチメントとともに連結部材４ｚが回動することで、延長棒部材４ｘがその軸心回りに回動する。
【００２６】
具体的には、インサート本体６は、筒状部材６ｘと、螺着部形成部材６ｙと、粘着シート６ｚとを備える。筒状部材６ｘは、例えば合成樹脂製であって、上下に延びる筒部６ｂと、その筒部６ｂの下端から外方に広がって形成されたフランジ部６ｃとからなる。螺着部形成部材６ｙは、例えば金属製であって、上下に延びて内側に前記螺着部６ａが形成され上端が閉塞された筒部６ｄと、その筒部６ｄの上端から外方に広がって形成された鍔部６ｅとからなる。そこで、筒状部材６ｘの筒部６ｂ内に、螺着部形成部材６ｙの筒部６ｄが挿入（詳しくは、圧入）されて、それら筒状部材６ｘと螺着部形成部材６ｙとが、一体化される。粘着シート６ｚは、筒状部材６ｘのフランジ部６ｃの下面に貼り付けられている。そして、この粘着シート６ｚは、その下面に、剥離紙を有する。もっとも、図示実施の形態においては、挿通体７が、固定体７ｘとして機能することから、この粘着シート６ｚは、なくてもよい。
【００２７】
挿通体７は、例えば合成樹脂製であって、挿通体本体７ａと掛止部７ｂとが一体に形成される。挿通体本体７ａは、棒状に形成され、その上端部分に、インサート本体６の螺着部６ａに螺合する雄ねじ部７ｃが設けられる。すなわち、この雄ねじ部７ｃがインサート本体６の螺着部６ａにねじ込まれることで、挿通体本体７ａ、つまりは挿通体７は、インサート本体６に組み付けられる。挿通体７（詳しくは、挿通体本体７ａ）は、平面部７ｄを有し、除去工具４の前記係合部４ｂは、その平面部７ｄに係合する。詳細には、挿通体本体７ａは、円柱を、互いに平行な二面で縦にカットした形状をし、そのカット面が前記平面部７ｄとなる。そして、挿通体本体７ａのカット面間の円弧面に、前記掛止部７ｂが設けられる。この掛止部７ｂは、その下端で、挿通体本体７ａの周面（詳しくは、円弧面）と繋がり、弾性的に撓み変形することで、前記第２位置側から前記第１位置側に変位することができ、また、前記第１位置側から前記第２位置側に弾性的に復帰することができる。そして、この掛止部７ｂは、デッキプレート２０１の貫通孔２ａの周縁に掛かる上側の面が、階段状に形成されている。
【００２８】
除去工具４は、前述したように、除去工具本体４ｙと延長棒部材４ｘと連結部材４ｚとを備える。除去工具本体４ｙにおいては、その受け入れ部４ａは、前記挿通体７が通過可能な（詳しくは、掛止部７ｂが第２位置にあっても通過可能な）大きさに形成されている。そして、受け入れ部４ａは、前記係合部４ｂが設けられた係合孔４ｅを有する。この係合孔４ｅは、挿通体７の形状（詳しくは、横断面形状）と対応するように、長孔状に形成されている。詳細には、係合孔４ｅは、幅狭側の面が、挿通体７の平面部７ｄに係合する係合部４ｂとなり、その係合部４ｂが、平面部７ｄに対応して平面状に形成される。
【００２９】
また、除去工具本体４ｙは、その下部に、筒状延設部４ｆを有し（図１４参照）、その筒状延設部４ｆが、延長棒部材４ｘの一端側（上端側）に嵌められるようにして、除去工具本体４ｙは、延長棒部材４ｘに固定される。
【００３０】
同様に、連結部材４ｚは、上方に延びる筒状延設部４ｇを有し（図１４参照）、その筒状延設部４ｇが、延長棒部材４ｘの他端側（下端側）に嵌められるようにして、連結部材４ｚは、延長棒部材４ｘに固定される。もっとも、図示実施の形態においては、連結部材４ｚは、延長棒部材４ｘに着脱可能に取付け固定されており、延長棒部材４ｘから連結部材４ｚを取り外すことで、延長棒部材４ｘ内にたまった挿通体７を、延長棒部材４ｘの他端側（下端側）から取り出すことができる。
【００３１】
連結部材４ｚは、下面に角孔４ｈを有し、その角孔４ｈに、電動回転工具の回転軸に固定されたアタッチメントが嵌まることで、電動回転工具の回転が、除去工具４に伝達される。もっとも、連結部材４ｚは、外周面が角状に形成されて、電動回転工具の前記アタッチメントがその外周面に嵌まるようになっていてもよく、また、角孔４ｈや角状の外周面に限るものでもなく、電動回転工具の回転を除去工具４に伝達できるものであれば、どのような嵌合形状でもよい。また、このように、電動回転工具によって除去工具４を回動させることができるが、この際、延長棒部材４ｘ（図示実施の形態においては、外周面が円柱状に形成された延長棒部材）を片方の手で軽く握ることで、その手の中で、延長棒部材４ｘ（つまりは、除去工具４）が回動する。
【００３２】
次に、以上の構成からなるコンクリートスラブ用のインサート装置５の作用効果について説明する。このインサート装置５によると、図２および図３に示すように、インサート３は、型枠２としてのデッキプレート２０１に固定される。このとき、螺着部６ａを有するインサート本体６は、デッキプレート２０１に載り、インサート本体６とは分離可能に設けられた挿通体７は、デッキプレート２０１の貫通孔２ａを通って下方に突出する。そこで、挿通体７は、固定体７ｘでもあり、その固定体７ｘでもある挿通体７によって、インサート本体６、つまりはインサート３は、デッキプレート２０１に固定される。そして、インサート本体６は、デッキプレート２０１上で、コンクリートが打設されて形成されるコンクリートスラブ１に埋設される。
【００３３】
このインサート本体６と挿通体７とを備えるインサート３から、挿通体７を除去するには、除去工具４が用いられる。図４〜図６に示すように、この除去工具４は、挿通体７を受け入れる受け入れ部４ａを備えており、その受け入れ部４ａに設けられた係合部４ｂが挿通体７に係合することで、受け入れ部４ａ（除去工具４）の回動によって挿通体７が螺着部６ａの軸心回りに回動する。そして、この挿通体７の回動によって、螺着部６ａへの雄ねじ部７ｃの螺合が外れて、挿通体７は、インサート本体６から分離する（図７参照）。ここで、除去工具４は、受け入れ部４ａの下方に収容部４ｄを備えており、インサート本体６から分離した挿通体７は、受け入れ部４ａから落下して収容部４ｄに収容される。このため、挿通体７を除去工具４（詳しくは、除去工具４の上端）から取り除くことなく、次の挿通体７をインサート３から除去することができる。
【００３４】
すなわち、このインサート装置５によれば、除去工具４において受け入れ部４ａの下方に収容部４ｄを設けることで、インサート３から除去した挿通体７を除去工具４から取り除くことなく、次の挿通体７をインサート３から除去することができ、挿通体７の除去作業を効率的に行うことができる。そして、インサート３から挿通体７を除去した後には、インサート本体６の螺着部６ａに、ボルト部材８を螺着するようにして、そのボルト部材８をインサート本体６（つまりは、コンクリートスラブ１）に取り付ける（図８参照）。
【００３５】
また、挿通体７をインサート３から除去する前には、挿通体７は、デッキプレート２０１から下方に突出しており、この挿通体７は、インサート本体６の位置を示す目印（詳しくは、目印棒）となる。
【００３６】
また、除去工具４の受け入れ部４ａに設けられた係合部４ｂは、挿通体７（詳しくは、挿通体本体７ａ）の外面（図示実施の形態においては、平面部７ｄ）に係合する。このため、係合部４ｂが挿通体本体７ａに係合する上下方向の長さを長く取ることができ、これによって、ピンポイントでなく、広い面積で挿通体７に回動の力を加えることができる。
【００３７】
また、挿通体７には、雄ねじ部７ｃが設けられ、その雄ねじ部７ｃが、インサート本体６の螺着部６ａに螺合することから、挿通体７をインサート３から除去するまでの間、螺着部６ａは、雄ねじ部７ｃによって守られる。
【００３８】
なお、本発明は、上述した実施の形態に限定されるわけではなく、その他種々の変更が可能である。例えば、除去工具４に設けられた係合部４ｂは、挿通体７の特に挿通体本体７ａに係合するが、挿通体本体７ａではなく、掛止部７ｂに係合するようにしてもよい。
【００３９】
また、延長棒部材４ｘの一端側（上端側）の開口を狭めたり、あるいは、受け入れ部４ａの下端側を絞ったりすることで、延長棒部材４ｘ内（つまり、収容部４ｄ内）に落下した挿通体７が、例えばその挿通体７の掛止部７ｂが狭めたり絞ったりした部分に引っ掛かって、簡単には逆通過できないようにしてもよい。
【００４０】
また、挿通体７は、インサート本体６に対し、別体に設けられるが、図１８に示すように一体に設けられてもよい。図示実施の形態においては、挿通体７には雄ねじ部７ｃがなく、インサート本体６における筒状部材６ｘと挿通体７とが、結合部３ｘで繋がって、樹脂成形により一体に形成される。そこで、挿通体７を、インサート本体６に対し螺着部６ａの軸心回りに回動させると、結合部３ｘが破断して、挿通体７は、インサート本体６から分離する。
【００４１】
また、この図１８に示す例のように、挿通体７に雄ねじ部７ｃがない場合には、挿通体７（詳しくは、挿通体本体７ａ）を中空かつボルト部材８が貫通可能となるよう形成することで、インサート３から挿通体７を除去することなく、ボルト部材８を、挿通体７内を通って螺着部６ａに螺着させることもできる。
【００４２】
また、挿通体７は、掛止部７ｂを備えることで、固定体７ｘでもあるが、図１９に示すように、掛止部７ｂを備えず、挿通体７が固定体７ｘとしての機能を果さなくてもよい。この場合は、デッキプレート２０１の下方に突出する挿通体７は、コンクリートスラブ１に埋設されたインサート本体６の位置を示す目印（詳しくは、目印棒）として機能する。図示実施の形態においては、掛止部７ｂに替えて、インサート本体６に、デッキプレート２０１との接合手段が設けられ、その接合手段によって、インサート本体６がデッキプレート２０１に接合することで、インサート３がデッキプレート２０１に固定される。詳細には、接合手段は、インサート本体６に設けられた粘着シート６ｚからなり、その粘着シート６ｚにおける剥離紙が剥がされて、インサート本体６、つまりはインサート３は、デッキプレート２０１に貼り付けられる。
【００４３】
また、前述の一実施の形態において、挿通体７は、固定体７ｘでもあるが、この固定体７ｘは、型枠２の下方に突出しなくてもよい。その例として、型枠２が、捨て型枠ではなく、コンクリートの硬化後に除去される型枠である場合について、図２０〜図２２をもとに、以下に、前記一実施の形態と同様の部分には同一の符号を付して、異なる部分を主に説明する。型枠２には、貫通孔２ａがあけられておらず、型枠２は、その型枠２上へのコンクリートの打設、硬化後に除去される。インサート本体６は、下方に延びる吊ボルト等のボルト部材が螺着可能な螺着部６ａを有する。そして、インサート本体６の下部にあるフランジ部６ｃは、固定体７ｘとの間に空間９を隔てて取り囲むように、椀状に形成される。固定体７ｘは、固定体本体７ｙと釘７ｚとを備える。固定体本体７ｙは、その長さが短く、型枠２の上面に対向（図示実施の形態においては、当接）する。したがって、固定体７ｘには、掛止部７ｂは設けられない。釘７ｚは、固定体本体７ｙを貫通するように設けられる。そこで、釘７ｚが型枠２に打ち込まれることで、インサート本体６、つまりはインサート３が、型枠２に固定される。除去工具４は、受け入れ部４ａが、前述の一実施の形態に比して小さく形成される。そこで、型枠２を除去し、受け入れ部４ａを、インサート本体６の空間９に挿入することで、その受け入れ部４ａが、固定体７ｘ（詳しくは、固定体本体７ｙの下部）を受け入れる。ここにおいて、受け入れ部４ａには、係合部４ｂが設けられ、その係合部４ｂが、固定体７ｘに係合することで、受け入れ部４ａ（除去工具４）の回動によって固定体７ｘが螺着部６ａの軸心回りに回動する。そして、この固定体７ｘの回動によって、螺着部６ａへの雄ねじ部７ｃの螺合が外れて、固定体７ｘは、インサート本体６から分離する。ここで、除去工具４は、受け入れ部４ａの下方に収容部４ｄを備えており、インサート本体６から分離した固定体７ｘは、受け入れ部４ａから落下して収容部４ｄに収容される。
【符号の説明】
【００４４】
１  コンクリートスラブ
２  型枠
２０１  デッキプレート
２ａ  貫通孔
３  インサート
４  除去工具
４ａ  受け入れ部
４ｂ  係合部
４ｃ  傾斜案内面
４ｄ  収容部
４ｘ  延長棒部材
４ｙ  除去工具本体
４ｚ  連結部材
５  インサート装置
６  インサート本体
６ａ  螺着部
７  挿通体
７ａ  挿通体本体
７ｂ  掛止部
７ｄ  平面部
７ｘ  固定体
８  ボルト部材
【図１】
2019031813.tif 000003
【図２】
2019031813.tif 000004
【図３】
2019031813.tif 000005
【図４】
2019031813.tif 000006
【図５】
2019031813.tif 000007
【図６】
2019031813.tif 000008
【図７】
2019031813.tif 000009
【図８】
2019031813.tif 000010
【図９】
2019031813.tif 000011
【図１０】
2019031813.tif 000012
【図１１】
2019031813.tif 000013
【図１２】
2019031813.tif 000014
【図１３】
2019031813.tif 000015
【図１４】
2019031813.tif 000016
【図１５】
2019031813.tif 000017
【図１６】
2019031813.tif 000018
【図１７】
2019031813.tif 000019
【図１８】
2019031813.tif 000020
【図１９】
2019031813.tif 000021
【図２０】
2019031813.tif 000022
【図２１】
2019031813.tif 000023
【図２２】
2019031813.tif 000024
【図２３】
2019031813.tif 000025
【図２４】
2019031813.tif 000026